(57)【要約】【課題】特定入賞口から外れた方向に導かれた遊技球に再度特定入賞口への入賞の機会を与えることで、特定入賞口への入賞に対する期待感を遊技者に持続させること。【解決手段】遊技領域9内の空室部21、遊技領域9から空室部21内に遊技球100を導入するガイド体24を含む導入通路、ガイド体24の下方で上向きに突出した突出部30、突出部30の周縁に設けられた特定入賞口32、突出部30を上下方向に貫通し特定入賞口32の位置以外の突出部30の周縁の位置に対して開口した三股の溝30、及び、この溝30を上下方向に移動可能な保留部41と案内部42,43,44を有する可動体40を備え、可動体40が上昇する間に案内部424,3,44が突出体30の周縁近傍で受け止めた遊技球100を保留部41に導き、可動体40の下降に伴い保留部41が溝30内に入るとき、保留部41に保留された遊技球100が可動体40から分離し高確ルート39に案内されるようにした。【選択図】図１０
2008228919.tif 000002
【特許請求の範囲】
【請求項１】
遊技球が打ち出される遊技領域内に区画された空室部と、前記遊技領域から前記空室部内に遊技球を導入して下方に落下させる導入通路と、この導入通路の下方にあって上向きに突出した山形の突出部と、前記突出部の周縁に設けられた特定入賞口と、前記突出部を上下方向に貫通し前記特定入賞口の位置以外の前記突出部の周縁の位置に対して開口した溝と、この溝内を上下方向に移動可能な可動体とを備え、
前記溝の幅寸法は、遊技球の直径よりも短く設定され、
前記可動体は、前記突出部の頂部と前記特定入賞口との間に形成された前記特定入賞口への入賞確率が高い高確ルートに対し上面視において重なる位置に形成された保留部と、この保留部から前記突出部の外側に向かって上り勾配に傾斜した案内部とを有し、
前記可動体が上方向へ移動している間に、前記案内部が前記突出部の周縁近傍で受け止めた遊技球を前記保留部に導き、前記可動体の下方向への移動に伴って前記保留部が前記溝内に入るときに、前記保留部に保留された遊技球が前記可動体から分離して前記高確ルートに案内されるようにしたことを特徴とする弾球遊技機の役物装置。
【請求項２】
請求項１に記載の発明において、前記溝が、遊技球の直径よりも短い間隔をあけて平行に延びた一対の溝から構成されたことを特徴とする弾球遊技機の役物装置。
【請求項３】
請求項１または２に記載の発明において、前記可動体が板状部を有し、この板状部の上縁に前記案内部と前記保留部が形成されたことを特徴とする弾球遊技機の役物装置。
【請求項４】
請求項１〜３のいずれか１項に記載の発明において、前記突出部が半球状に形成されたことを特徴とする弾球遊技機の役物装置。
【発明の詳細な説明】
【技術分野】
【０００１】
本発明は、遊技球の入賞によって遊技者に特典が付与される特定入賞口を備えた弾球遊技機の役物装置に関する。
【背景技術】
【０００２】
弾球遊技機の機種の中には、遊技盤の遊技領域の中央部に設けられた役物装置によって、遊技球の入賞先を特定入賞口と普通入賞口とに振り分けるものがある。特定入賞口に遊技球が入賞した場合には、大当りとなって大入賞口を解放したり、センター役物装置内に球が入りやすい状態にしたりするなど、遊技者に有利な特典を遊技者に付与する。普通入賞口に遊技球が入賞した場合には、所定数の賞球が払い出されるだけで遊技者に特典を付与しない。
【０００３】
この種の弾球遊技機としては特許文献１で開示されたものがある。この弾球遊技機に備えられた役物装置は、盤面に平行な方向に広がった回転可能な回転体と、回転体の後方に設けられた特定入賞口および普通入賞口とを備えている。回転体には、外周側から中心に向かう方向に延び遊技球を保持可能な切欠きが複数形成されている。つまり、回転中の回転体に遊技球が保持されることによって特定入賞口または普通入賞口に振り分けられるようになっている。各切欠きが特定入賞口と普通入賞口のどちらに遊技球を運ぶ際に使用されるかは、各切欠きの深さと、特定入賞口および普通入賞口の位置によって予め決まっている。
【特許文献１】特開２００４−３２９３１３公報
【発明の開示】
【発明が解決しようとする課題】
【０００４】
前述した従来の役物装置では、回転体に遊技球が保持された時点で、その遊技球が特定入賞口と普通入賞口のどちらに入賞するかが決まる。つまり、遊技球が役物装置内に入ってから遊技球の入賞先が決定されるまでの遊技球の動きが単調である。このため、特定入賞口への遊技球の入賞に対する期待感を遊技者に持続させることが困難であった。
【０００５】
本発明は、前述の実状を考慮してなされたものであり、その目的は、特定入賞口から外れた方向に導かれた遊技球に対して再度特定入賞口への入賞の機会を与えることで、特定入賞口への入賞に対する期待感を遊技者に持続させることができる弾球遊技機の役物装置を提供することにある。
【課題を解決するための手段】
【０００６】
前述の目的を達成するために、本発明の弾球遊技機の役物装置は次のように構成されている。
【０００７】
本発明は、遊技球が打ち出される遊技領域内に区画された空室部と、前記遊技領域から前記空室部内に遊技球を導入して下方に落下させる導入通路と、この導入通路の下方にあって上向きに突出した山形の突出部と、前記突出部の周縁に設けられた特定入賞口と、前記突出部を上下方向に貫通し前記特定入賞口の位置以外の前記突出部の周縁の位置に対して開口した溝と、この溝内を上下方向に移動可能な可動体とを備え、前記溝の幅寸法は、遊技球の直径よりも短く設定され、前記可動体は、前記突出部の頂部と前記特定入賞口との間に形成された前記特定入賞口への入賞確率が高い高確ルートに対し上面視において重なる位置に形成された保留部と、この保留部から前記突出部の外側に向かって上り勾配に傾斜した案内部とを有し、前記可動体が上方向へ移動している間に、前記案内部が前記突出部の周縁近傍で受け止めた遊技球を前記保留部に導き、前記可動体の下方向への移動に伴って前記保留部が前記溝内に入るときに、前記保留部に保留された遊技球が前記可動体から分離して前記高確ルートに案内されるようにしたことを特徴とする。
【０００８】
このように構成された本発明では、導入通路から突出部に落下した遊技球は、遊技者の運がよければ突出部の高確ルートを転がり落ちて特定入賞口に入賞する。しかし、多くの遊技球は特定入賞口とは違う方向に転がり落ちる。このように特定入賞口とは違う方向に転がり落ちた遊技球は、突出体の周縁近傍で案内部によって受け止められることがある。この状態で可動体が上方向へ移動すると、遊技球は案内部の傾斜により突出部の表面に寄り添った状態で案内部を保持部の方向に転がり、保留部が突出部の頂部よりも上方に達したときに保留部に達して保留される。その後、可動体が下方向へ移動すると、保留部が溝内に入るときに、保留部に保留された遊技球が可動体から分離して高確ルートに案内される。
【０００９】
このように本発明では、突出部において特定入賞口とは違う方向に転がり落ちていく遊技球を、可動体が持ち上げて突出部の上方から高確ルートに案内することによって、遊技球に対して再度特定入賞口への入賞の機会を与える。これにより、特定入賞口への入賞に対する期待感を遊技者に持続させることができる。
【００１０】
本発明の弾球遊技機の役物装置は、前記溝が、遊技球の直径よりも短い間隔をあけて平行に延びた一対の溝から構成されたことを特徴とするものであってもよい。
【００１１】
本発明の弾球遊技機の役物装置は、前記可動体が板状部を有し、この板状部の上縁に前記案内部と前記保留部が形成されたことを特徴とする。これによって、上下方向の外力に対する可動体の強度が確保しやすくなる。
【００１２】
本発明の弾球遊技機の役物装置は、前記突出部が半球状に形成されたことを特徴とするものであってもよい。
【発明の効果】
【００１３】
本発明によれば、突出部において特定入賞口とは違う方向に転がり落ちていく遊技球を、可動体が持ち上げて突出部の上方から高確ルートに案内することによって、遊技球に対して再度特定入賞口への入賞の機会を与える。これにより、特定入賞口への入賞に対する期待感を遊技者に持続させることができる。
【発明を実施するための最良の形態】
【００１４】
本発明の弾球遊技機の役物装置の一実施形態について図を用いて説明する。
【００１５】
図１は本発明の一実施形態を備えた弾球遊技機の正面側を示す斜視図である。図２は図１に示した弾球遊技機の遊技盤を示す正面図である。図３は本発明の要部を示す斜視図である。図４は図３に示した要部の正面図である。図５は図３に示した要部の上面図である。図６は図３に示した可動体が突出部の上方に移動した状態を示す斜視図である。
【００１６】
本実施形態は、図１に示す弾球遊技機１に備えられている。この弾球遊技機１は、遊技場の島設備に設置される機枠２と、この機枠２の右側部（図１の左側）に回動可能に支持された前面枠３と、この前面枠３に右側部を回動可能に支持されたガラス扉４と、受け皿６や発射ハンドル７を一体化してなる一体皿ユニット５とを備えている。
【００１７】
前面枠３には、ガラス扉４を通じて視認可能な、図２に示す遊技盤８が嵌め込まれている。この遊技盤８は、遊技球が打ち出される遊技領域９を形成している。この遊技領域９内に本実施形態である役物装置２０が設けられている。
【００１８】
本実施形態は、遊技領域９の中央部に区画された空室部２１と、遊技領域９から空室部２１内に遊技球を導入して下方に落下させる導入通路とを備えている。導入通路は、空室部２１の上部左右両側部に設けられた球入口２２，２３と、これら球入口２２，２３に入った遊技球を受け入れ、空室部２１のほぼ中央に落下させるガイド体２４とから構成されている。ガイド体２４は、円椀状に形成され遊技球を受け入れる球受部２５と、この球受部２５の下部中央から下方に延びた円筒状のガイド筒２６とから構成されている。
【００１９】
球入口２２，２３のそれぞれは、その近傍に回動可能に設けられた羽根部材２７，２８により開閉するようになっている。羽根部材２７，２８はそれぞれ図示しないソレノイドを駆動源としている。空室部２１の下方には、始動入賞口１０，１１が左右方向に並んで設けられている。羽根部材２７，２８の駆動源である前記ソレノイドは、始動入賞口１０，１１に遊技球が入賞したときに羽根部材２７，２８が短時間（例えば０，５秒）だけ開くように制御されるようになっている。
【００２０】
空室部２１内には、ガイド体２４の下方にあって上向きに突出した山形、例えば半球状の突出部３０と、この突出部３０を支持する円筒状の支持部３１と、突出部３０の周縁、例えば突出部の下部前方に設けられた特定入賞口３２とが設けられている。突出部３０の周縁における特定入賞口３２以外の開口部３３は、図示しない普通入賞口に連通している。弾球遊技機１は、特定入賞口３２に遊技球が入賞した場合に遊技者に有利な特典（例えば羽根部材２７，２８が連続して複数回開閉すること）を付与するようになっているとともに、開口部３３に遊技球が落ちた場合、すなわち普通入賞口に遊技球が入賞した場合には所定数の遊技球が払い出されるだけで遊技者に特典を付与しないようになっている。
【００２１】
図３に示すように、突出部３０には、この突出部３０を上下方向に貫通し特定入賞口３２の位置以外の突出部３０の周縁の３位置に対して開口した三股の溝３４と、この三股の溝３４を上下方向に移動可能な可動体４０（図３，６参照）とを備えている。可動体４０の可動範囲は、三股の溝３４の下端から突出部３０の頂部３０ａよりも高い所定位置までの間（図３，４参照）に設定されている。
【００２２】
三股の溝３４は、遊技球の直径よりも短い間隔をあけて平行に延びた一対の溝３５Ａ，３５Ｂと、一対の溝３６Ａ，３６Ｂと、一対の溝３７Ａ，３７Ｂと、溝３５Ａと溝３６Ａを連続させる溝３８とからなる。可動体４０は、金属等の剛性を有する線状部材４０ａ、Ｌ字状部材４０ｂ，４０ｃを結合してなる。溝３５Ａ，３５Ｂ，３６Ａ，３６Ｂ，３７Ａ，３７Ｂ，３８のそれぞれの幅寸法は、遊技球の直径よりも短く設定されている。
【００２３】
図４，５に示すように、可動体４０は、突出部３０の頂部３０ａと特定入賞口３２との間に形成された特定入賞口３２への入賞確率が高い高確ルート３９（二点差線の矢印）に対し上面視において重なる位置に形成された保留部４１（２点差線で囲んだ部分）と、この保留部４１から突出部３０の外側に向かって上り勾配に傾斜した３つの案内部４２，４３，４４とを有する。保留部４１の前部を形成する線状部４１ａ（線状部材４０ａの中央部）は水平な姿勢になるように配置されているとともに、その長さ寸法は遊技球の直径よりも短く設定されている。
【００２４】
可動体４０の上下方向への移動は、図示しないモータや伝達機構を内蔵した駆動装置４５と、案内装置４６，４７によって行われる。案内装置４６，４７は、線状部４１ａが水平な状態が保持されるように可動体４０を支持しながら、この可動体４０の上下方向の移動を案内できるように構成されている。駆動装置４５は、弾球遊技機１の起動から終了までの間、可動体４０がその可動範囲の両端間を常時往復している状態となるように制御されるようになっている。
【００２５】
このように構成された本実施形態の動作について図７〜１２を用いて説明する。
【００２６】
図７はガイド体から突出部の頂部に遊技球が落下した状態を示す斜視図である。図８は頂部に落下した遊技球が可動体の案内部に向かって転がり落ちていく状態を示す斜視図である。図９は可動体の案内部に遊技球が受け止められた状態を示す斜視図である。図１０は可動体の上方向への移動に伴って遊技球が案内部から保留部に移動し保留された状態を示す斜視図である。図１１は可動体の下方向への移動に伴って遊技球が可動体から分離した状態を示す斜視図である。図１２は遊技球が高確ルートを特定入賞口に向かって転がり落ちていく状態を示す斜視図である。
【００２７】
始動入賞口１０，１１のいずれかに遊技球が入賞すると、所定時間だけ羽根部材２７，２８が開いて球入口２２，２３が解放される。このとき、遊技者の運がよければ球入口２２，２３から空室部２１内に遊技球が導かれる。その遊技球はガイド体２４により案内されて、図７に示すように突出部３０の頂部３０ａに落下し、遊技者の運がよければ突出部３０の高確ルート３９を転がり落ちて特定入賞口に入賞する。しかし、遊技球の転がり落ちる方向は特定入賞口３２とは違う方向になることの方が圧倒的に多く、開口部３３に入った遊技球は普通入賞口に入賞する。
【００２８】
頂部３０ａに落下した遊技球は、案内部４２，４３，４４のうちのいずれかに向かって、例えば図８に示す遊技球１００のように案内部４２に向かって転がり落ち、図９に示すように突出部３０の周縁近傍で案内部４２によって受け止められることがある。その後、可動体４０の上方向への移動に伴って、遊技球１００は案内部４２の傾斜により突出部３０の表面に寄り添った状態で、案内部４２から保留部４１の方向に転がっていく。そして、保留部４１が突出部３０よりも上方に移動したときに、図１０に示すように遊技球１００は保留部４１に嵌って保留される。保留部４１において、遊技球の水平方向の移動は、案内部４２，４３，４４と線状部４１ａにより規制されている。
【００２９】
可動体４０は、保留部４１が突出部３０の上方において可動範囲の最高位置に達すると、移動方向を下方向へ変える。そして、保留部４１が三股の溝３４内に入るときに、保留部４１に保留された遊技球１００は可動体４０から分離し、図１１に示すように高確ルート３９に案内される。その後、高確ルート３９上を転がり落ちて、ほぼ特定入賞口３２に入賞する。
【００３０】
本実施形態によれば次の効果を得られる。
【００３１】
本実施形態によれば、突出部３０において特定入賞口３２とは違う方向に転がり落ちていく遊技球を、可動体４０が持ち上げて突出部３０の上方から高確ルート３９に案内することによって、再度特定入賞口３２に入賞の機会を与えることができるから、特定入賞口３２への遊技球の入賞に対する期待感を遊技者に持続させることができる。
【００３２】
なお、本実施形態では、突出部３０に三股の溝３４が形成され、この三股の溝３０に対応して可動体４０も三股、すなわち１つの保留部４１に対し３つの案内部４２，４３，４４を有する構成になっているが、本発明の溝および可動体はこれに限定するものではなく、三股以上であってもよいし、三股未満であってもよい。
【００３３】
本実施形態は、線状部材４０ａとＬ字状部材４０ｂ，４０ｃを結合して構成された可動体４０を備えたものであるが、本発明における可動部はそれに限定されるものではない。図１３に示すように板状部を有する可動体５０であってもよい。この可動体５０は、板状部材５１と、板状部材を曲げ加工して形成された上面視Ｌ字状部材５２，５３とを結合して構成されている。板状部材５１およびＬ字状部材５２，５３の上縁には、保留部４１および案内部４１，４２，４３と同様の保留部および案内部が形成されている。このように構成されたものによれば、可動体の上下方向の外力に対する強度が確保しやすくなる。
【００３４】
板状部の上縁に保留部および案内部を有する可動体は、可動体の上下方向の外力に対する強度をもたせることによって重力による変形が生じにくくなるから、例えば、遊技球の直径よりも短い間隔をあけて対向した一対の板状部材を結合して構成され、その上縁に保留部４１と案内部４２とに相当するもののみを有するもの、または、保留部４１と案内部４３に相当するもののみを有するもの、または保留部４１と案内部４４に相当するもののみを有するものであってもよい。また、保留部４１と案内部４２，４３の組合せに相当するもののみを有するもの、または保留部４１と案内部４１，４３の組合せに相当するもののみを有するもの、または保留部４１と案内部４１，４２の組合せに相当するもののみを有するものであってもよい。
【００３５】
本実施形態では、三股の溝３４は遊技球の直径よりも短い間隔をあけて平行に延びた一対の溝を３つ組み合わせて構成されたものであるが、本発明における溝は一対の溝から構成されたものに限定されるものではなく、例えば図１４に示すように、一筋の溝６０から構成されたものであってもよい。
【００３６】
一筋の溝６０に対応する可動体６１は、例えば保留部６２と２つの案内部６３，６４とを有する。上面視において突出部３０の内側に位置する可動体６１の部分は、板状部材（または線状部材）により形成されて、上面視において線状になっている。また、上面視において突出部３０の外側に突出した案内部６３の部分、すなわち遊技球を受止める球受止め部６５は、遊技球の直径よりも短い間隔で対向する対向部６７Ａ，６７Ｂと、上面視における突出部３０の内側の案内部６３，６４のそれぞれの部分と対向部６７Ａ，６７Ｂとを結合する接続部６８Ａ，６８Ｂとを有する。球受止め部６６も球受止め部６５と同様に構成されている。
【００３７】
保留部６２および案内部６３，６４は磁性体から構成されている。球受止め部６５，６６間に位置する案内部６３，６４の部分および保留部６２には、可動体６１と同方向に延びた溝からなり遊技球の移動を案内するガイド溝６９が形成されている。これらにより、上面視において一本の線状の案内部６３，６４の部分および保留部６２であっても、遊技球が安定するようになっている。
【００３８】
本実施形態では、高確ルート３９が単に頂部３０ａと特定入賞口３２との間に位置する突出部３０の表面からなるが、その表面に高確ルート３９に沿った溝を設けて、特定入賞口３２に遊技球が入賞しやすくなっていてもよい。
【００３９】
本実施形態では、突出部３０が半球状に形成されているが、本発明における突出部の形状はこれに限定されるものではなく、上方から落下してきた遊技球を特定入賞口３２や開口部３３に受け流す傾斜面が形成されたものであればよい。
【図面の簡単な説明】
【００４０】
【図１】本発明の一実施形態を備えた弾球遊技機の正面側を示す斜視図である。
【図２】図１に示した弾球遊技機の遊技盤を示す正面図である。
【図３】本発明の要部を示す斜視図である。
【図４】図３に示した要部の正面図である。
【図５】図３に示した要部の上面図である。
【図６】図３に示した可動体が突出部の上方に移動した状態を示す斜視図である。
【図７】ガイド体から突出部の頂部に遊技球が落下した状態を示す斜視図である。
【図８】頂部に落下した遊技球が可動体の案内部に向かって転がり落ちていく状態を示す斜視図である。
【図９】可動体の案内部に遊技球が受け止められた状態を示す斜視図である。
【図１０】可動体の上方向への移動に伴って遊技球が案内部から保留部に移動し保留された状態を示す斜視図である。
【図１１】可動体の下方向への移動に伴って遊技球が可動体から分離した状態を示す斜視図である。
【図１２】遊技球が高確ルートを特定入賞口に向かって転がり落ちていく状態を示す斜視図である。
【図１３】可動体の他の例を示す斜視図である。
【図１４】溝および可動体の他の例を示す上面図である。
【符号の説明】
【００４１】
１  弾球遊技機
２  機枠
３  前面枠
４  ガラス扉
５  一体皿ユニット
６  受け皿
７  発射ハンドル
８  遊技盤
９  遊技領域
１０，１１  始動入賞口
２０  役物装置
２１  空室部
２２，２３  球入口
２４  ガイド体
２５  球受部
２６  ガイド筒
２７，２８  羽根部材
３０  突出部
３０ａ  頂部
３１  支持部
３２  特定入賞口
３３  開口部
３４  三股の溝
３５Ａ，３５Ｂ  溝
３６Ａ，３６Ｂ  溝
３７Ａ，３７Ｂ  溝
３８  溝
３９  高確ルート
４０  可動体
４０ａ  線状部材
４０ｂ，４０ｃ  Ｌ字状部材
４１  保留部
４１ａ  線状部
４２，４３，４４  案内部
４５  駆動装置
４６，４７  案内装置
５０  可動体
５１  板状部材
５３，５２  Ｌ字状部材
６０  一筋の溝
６１  可動体
６２  保留部
６３，６４  案内部
６５，６６  球受止め部
６７Ａ，６７Ｂ  対向部
６８Ａ，６８Ｂ  接続部
６９  ガイド溝
１００  遊技球
【図１】
2008228919.tif 000003
【図２】
2008228919.tif 000004
【図３】
2008228919.tif 000005
【図４】
2008228919.tif 000006
【図５】
2008228919.tif 000007
【図６】
2008228919.tif 000008
【図７】
2008228919.tif 000009
【図８】
2008228919.tif 000010
【図９】
2008228919.tif 000011
【図１０】
2008228919.tif 000012
【図１１】
2008228919.tif 000013
【図１２】
2008228919.tif 000014
【図１３】
2008228919.tif 000015
【図１４】
2008228919.tif 000016